(57)【要約】【課題】  アパーチャ部を有する蛍光ランプを用いながら、所期の原稿照明域を高い効率で照明することができる原稿照明装置を提供すること。【解決手段】  原稿照明装置は、管状の放電容器にその長さ方向に伸びる一対の電極が設けられ、放電容器の内表面にお+ いて、当該放電容器の管軸方向に伸びるようアパーチャ部が形成された蛍光体層を有する蛍光ランプと、当該蛍光ランプの外部に離間して配置され、当該蛍光ランプから放射される光のうち、原稿照明域に向かう光以外の光を放電容器のアパーチャ部に向けて反射する、放電容器の管軸方向に伸びる反射鏡とを具えてなる光源装置を有することを特徴とする。この原稿照明装置においては、光源装置の反射鏡は、蛍光ランプに対向する反射面が金属反射膜により形成され、反射面とは反対側の裏面に光吸収膜が形成されたものであることが好ましい。【選択図】  図１
2006067173.tif 000002
【特許請求の範囲】
【請求項１】
管状の放電容器にその長さ方向に伸びる一対の電極が設けられ、放電容器の内表面において、当該放電容器の管軸方向に伸びるようアパーチャ部が形成された蛍光体層を有する蛍光ランプと、
当該蛍光ランプの外部に離間して配置され、当該蛍光ランプから放射される光のうち、原稿照明域に向かう光以外の光を放電容器のアパーチャ部に向けて反射する、放電容器の管軸方向に伸びる反射鏡とを具えてなる光源装置を有することを特徴とする原稿照明装置。
【請求項２】
光源装置の反射鏡は、蛍光ランプに対向する反射面が金属反射膜により形成され、反射面とは反対側の裏面に光吸収膜が形成されたものであることを特徴とする請求項１に記載の原稿照明装置。
【請求項３】
請求項１または請求項２に記載の光源装置の複数を具え、各々の光源装置における蛍光ランプが互いに平行に伸びた状態において、共通の原稿照明域に光を照射するよう配置されていることを特徴とする原稿照明装置。
【発明の詳細な説明】
【技術分野】
【０００１】
本発明は、原稿照明装置に関し、詳しくは、例えば原稿読み取り装置における所期の原稿照明域を高い効率で照明することが求められるファクシミリ、複写機、イメージリーダなどに搭載される原稿照明装置に関する。
【背景技術】
【０００２】
近年、ファクシミリ、複写機、イメージリーダなどの情報機器に用いられる原稿照明装置においては、例えば高速の露光処理の要望に応えるために、被照射体に照射される光の照度を高くすることが要求されている。
【０００３】
具体的には、例えば、複写機においては、原稿読み取り面（以下、「原稿面」という。）における照度を向上させるために、例えば、光源ランプの周囲に配置される反射鏡の形状や材質などを選択することによって原稿面に高い効率で光を照射する構成や、さらに、複数の光源ランプを配置させてなる原稿照明装置が提案されている（例えば、特許文献１および特許文献２参照。）。
【０００４】
しかしながら、このような原稿照明装置においては、原稿面における照度の向上は達成されるものの、必然的に装置自体が大型のものとなってしまう。
原稿照明装置においては、装置自体の小型化も強く望まれており、このために、光源ランプとして、その周囲に反射鏡を設けることが不要とされている、アパーチャ部を有する蛍光ランプが用いられている。このようなアパーチャ部を有する蛍光ランプにおいては、これを構成する蛍光体層自体が良好な可視光反射作用を発揮し、アパーチャ部のみから光が放射されることにより、高い効率で原稿面に光を照射することができて、小型化が達成される。
【０００５】
このようなアパーチャ部を有する直管状の蛍光ランプ１０は、図６に示すように、例えば、両端が気密に封止された棒状のガラス管よりなる放電容器１１によりバルブが構成され、当該放電容器１１の内表面には、可視光反射率が例えば９５％である可視光の反射率が高い蛍光物質が塗布されて蛍光体層１４が形成され、当該放電容器１１により形成される放電空間Ｓには所定量の例えばヘリウム、アルゴン、キセノン、クリプトンまたはネオンなどの希ガスが封入されると共に、放電容器１１の外表面には、互いに直径方向に対向するよう、各々当該放電容器１１の長さ方向伸びる一対の膜状または線状の電極１２，１３が配設されて構成されている。蛍光体層１４においては、蛍光物質が塗布されていないことにより形成された管軸方向に伸びる光放射用のアパーチャ部１７が、適宜の開口角度θで形成されている。また電極１２、１３は、一対のリード線１８、１８を介して高周波電源１９に電気的に接続されている。
図６において、１５は、一対の電極１２，１３を含む放電容器１１の外周面を覆う絶縁性樹脂からなる被覆用チューブである。
【０００６】
このような構成の蛍光ランプ１０においては、一対の電極１２，１３間に例えば２ｋＶ程度の高周波電圧またはパルス状高周波電圧が印加されることにより、放電容器１１の放電空間Ｓにおいて放電現象が生じて蛍光体層１４を構成する蛍光物質が発光し、この光がアパーチャ部１７から放射される。
【０００７】
以上のような光源ランプよりなる光源装置が搭載されてなる原稿照明ユニットの構成の一例を、被照射体が載置される原稿台と共に図７に示す。
この原稿照明ユニット６０において、３１は、水平に配置された透明ガラスよりなる原稿台であり、Ｇは原稿台３１上に載置された原稿である。蛍光ランプ１０、１０は、原稿台３１の下方においてその幅方向（図において紙面に垂直な方向）に伸びるよう、その上部に光投射用窓部３８が形成された支持枠３２に固定されている。この支持枠３２の下部には、原稿から反射された反射光が透過されて光像反射ミラー３４に入射されるための光像透過用窓部３３が形成されている。
そして、蛍光ランプ１０、１０が保持された支持枠３２、光像反射ミラー３４、結像レンズ３５および光信号検知部３７はケーシング３６に共通に固定支持されて一体の原稿照明ユニットが構成され、この原稿照明ユニットが原稿台３１に沿って、蛍光ランプ１０の管軸方向と垂直な走査方向（図７において左右方向）に相対的に移動する構成とされている。
【０００８】
このような原稿照明ユニット６０においては、蛍光ランプ１０、１０が、互いに適宜に離間して、原稿台３１と垂直な平面Ｗに関して面対称に、当該原稿台３１および当該平面Ｗに平行となる状態で配置されている。
【０００９】
この原稿照明ユニット６０においては、蛍光ランプ１０，１０からの光を、光投射用窓部３８を介して原稿台３１上の原稿照明域に投射すると共に、当該原稿照明ユニット６０を原稿台３１に対して走査方向に相対的に移動させることにより、照射光を原稿面上において走査させ、原稿照明域に対応する原稿面の読み取り領域から反射された反射光が、支持枠３２の光像透過用窓部３３、光像反射ミラー３４および結像レンズ３５を介して、ＣＣＤなどの光信号検知部３７に導入することにより、原稿面の全面の露光処理が行われる。
【００１０】
しかしながら、このような原稿照明ユニットに搭載される光源装置においては、蛍光ランプからの光の利用効率が十分高いものではない、という問題点がある。
【特許文献１】特開平７−２８７３１７号公報
【特許文献２】特許第２８７８３０８号公報
【発明の開示】
【発明が解決しようとする課題】
【００１１】
本発明は、以上のような事情に基づいてなされたものであって、その目的は、アパーチャ部を有する蛍光ランプを用いながら、所期の原稿照明域を高い効率で照明することができる原稿照明装置を提供することにある。
【課題を解決するための手段】
【００１２】
本発明の原稿照明装置は、管状の放電容器にその長さ方向に伸びる一対の電極が設けられ、放電容器の内表面において、当該放電容器の管軸方向に伸びるようアパーチャ部が形成された蛍光体層を有する蛍光ランプと、
当該蛍光ランプの外部に離間して配置され、当該蛍光ランプから放射される光のうち、原稿照明域に向かう光以外の光を放電容器のアパーチャ部に向けて反射する、放電容器の管軸方向に伸びる反射鏡とを具えてなる光源装置を有することを特徴とする。
【００１３】
この原稿照明装置においては、光源装置の反射鏡は、蛍光ランプに対向する反射面が金属反射膜により形成され、反射面とは反対側の裏面に光吸収膜が形成されたものであることが好ましい。
【００１４】
また、本発明の原稿照明装置は、上記に記載の光源装置の複数を具え、各々の光源装置における蛍光ランプが互いに平行に伸びた状態において、共通の原稿照明域に光を照射するよう配置されていることを特徴とする。
【発明の効果】
【００１５】
本発明の原稿照明装置によれば、蛍光ランプのアパーチャ部から放射される光のうち、原稿照明域に向かう光以外の光が、反射鏡によってアパーチャ部に向かって反射され、この反射された光が蛍光ランプの蛍光体層に反射されて再びアパーチャ部から放射されて原稿照明域に向かうこととなるため、蛍光ランプにおいて生じた光が高い効率で利用されて原稿照明域において高い効率で照明することができる。
【発明を実施するための最良の形態】
【００１６】
以下、図面を参照して、本発明の実施の形態について詳細に説明する。
【００１７】
＜第１の実施の形態＞
図１は、本発明の原稿照明装置に具えられる光源装置の構成の第１の例を原稿台と共に示す説明用断面図、図２は、図１の光源装置を用いた原稿照明装置が搭載されてなる原稿照明ユニットの構成の一例を原稿台と共に示す概略説明図である。
【００１８】
〔原稿照明装置〕
光源装置１は、基本的に、図６に示されたものと同様の構成を有する蛍光ランプ１０と、この蛍光ランプ１０からアパーチャ部１７を介して放射される光のうち、蛍光ランプ１０の管軸方向に伸びる帯状の原稿照明域Ｒに向かう光以外の光を放電容器１１のアパーチャ部１７に向かって反射する反射鏡２１、２２とが具えられて構成されている。
【００１９】
蛍光ランプ１０は、水平に配置された透明ガラス板よりなる原稿台３１の下方に、当該蛍光ランプ１０の管軸Ｏから原稿台３１の下面までの離間距離Ｈを介して、その管軸Ｏが当該原稿台３１と平行な状態に配置され、当該蛍光ランプ１０における光放射用のアパーチャ部１７が、適宜の開口角度θ１を有して原稿台３１に斜めに対向している。
【００２０】
反射鏡２１、２２は、各々、蛍光ランプ１０の外側においてこれを包囲するよう、間隙を介して覆う状態で当該蛍光ランプ１０と平行な方向に伸びる、断面が円筒体の一部に沿った形状を有する凹面鏡よりなり、この凹面鏡に係る円筒体の中心軸が、蛍光ランプ１０の管軸Ｏに一致した状態で配置されている。
【００２１】
反射鏡２１、２２は、各々の外端縁２１Ａ（図１において左端縁）および外端縁２２Ａ（図１において右端縁）が、アパーチャ部１７の一方の端縁１７Ａ（図１において左端縁）および他方の端縁１７Ｂ（図１において右端縁）を通る延長面Ｚ上に位置するよう配置されており、また、反射鏡２１に係る内端縁２１Ｂは、アパーチャ部１７の一方の端縁１７Ａに近接した当該アパーチャ部１７の一端側から放射される光を捕捉するよう配置され、反射鏡２２に係る内端縁２２Ｂは、アパーチャ部１７の他方の端縁１７Ｂに近接した当該アパーチャ部１７の他端側から放射される光を捕捉するよう配置されており、これらの内端縁２１Ｂ（図１において右端縁）と内端縁２２Ｂ（図１において左端縁）とによって、光投射用スリット２３が形成されている。
【００２２】
この光投射用スリット２３は、蛍光ランプ１０のアパーチャ部１７に係る開口角度θ１よりも小さい開口角度θ２を有する状態に形成されており、アパーチャ部１７の一方の端縁１７Ａおよび反射鏡２１の内端縁２１Ｂを通る平面Ｐ１と、アパーチャ部１７の他方の端縁１７Ｂおよび反射鏡２２の内端縁２２Ｂを通る平面Ｐ２とによって規制されることによって、原稿台３１上の所期の原稿照明域Ｒに対応する照明帯Ｌが形成される。
【００２３】
反射鏡２１，２２は、所望の形状の湾曲された基板の反射面が例えば光輝アルミニウムなどよりなる金属反射面により形成され、その裏面には、例えば黒塗装が施されてなる光吸収膜が形成されたものである。また、黒色のポリカーボネイト（ＰＣ）、ポリフェニレンサルファイド（ＰＰＳ）などの光吸収樹脂材料より形成された基板の反射面がアルミニウムなどが蒸着されてなる金属反射面により形成されたものでもよい。
【００２４】
このような光源装置１における寸法の一例を示すと、蛍光ランプ１０と原稿台３１との離間距離Ｈが１４ｍｍであり、当該蛍光ランプ１０における蛍光体層１４の可視光反射率が９４％であり、また、アパーチャ部１７の開口角度θ１が６５°、光投射用スリット２３の開口角度θ２が、２８°に設定されており、また、蛍光ランプ１０の外径が例えば１０ｍｍであり、反射鏡２１、２２に係る円筒体の半径が、例えば７ｍｍである。
さらに、原稿照明域Ｒの幅ａは、例えば３ｍｍであり、照明帯Ｌの幅ｂは、例えば５ｍｍである。
【００２５】
〔原稿照明ユニット〕
以上のような光源装置を具える原稿照明装置が搭載されてなる原稿照明ユニットについて説明する。
この原稿照明ユニット３０には、第１の光源装置１ａおよび第２の光源装置１ｂよりなる原稿照明装置２が具えられている。各々の光源装置１ａ、１ｂは、蛍光ランプ１０および反射鏡２１、２２により、図１に示した構成と同様に構成されており、各々の光源装置１ａ、１ｂに係る、各々の蛍光ランプ１０、１０が、原稿台３１と垂直な平面Ｘに関して面対称に、各々の管軸Ｏが互いに平行な状態において、配置されている。
【００２６】
原稿照明装置２においては、蛍光ランプ１０、１０が適宜に離間して配置され、当該蛍光ランプ１０、１０における光放射用のアパーチャ部１７、１７を介して、共通の原稿照明域Ｒに光が投射され、これにより、原稿面における読み取り領域からの反射光が光路Ｍを介して後述する光像反射ミラー３４に入射される。
【００２７】
原稿照明ユニット３０は、その全体が原稿台３１に対して、蛍光ランプ１０の管軸方向と垂直な走査方向（図２において左右方向）に相対的に移動可能に設けられており、ケーシング３６内において、その上部に配置された支持枠３２の内部に第１の光源装置１ａと第２の光源装置１ｂとが配置され、ケーシング３６の下部には、光像反射ミラー３４、結像レンズ３５およびＣＣＤなどの光信号検知部３７が、当該ケーシング３６に共通に固定支持されている。
【００２８】
支持枠３２は、その上部に蛍光ランプ１０の管軸方向に伸びる光投射用窓部３８が形成され、その下部には、蛍光ランプ１０の管軸方向に伸びる光像透過用窓部３３が形成されている。
この光像透過用窓部３３は、読み取り領域からの反射光が透過されて光像反射ミラー３４に至るために十分な大きさを有するものとされている。
【００２９】
光像反射ミラー３４は、例えば平板状のものであって、蛍光ランプ１０の管軸方向に伸びると共に、光像透過用窓部３３からの光を光信号検知部３７に向かって反射する角度で当該光像透過用窓部３３の下方に配置されており、光路Ｍ上における光像反射ミラー３４と光信号検知部３７との間に、当該光信号検知部３７に光像を結像させる結像レンズ３５が配置されている。
【００３０】
この原稿照明ユニット３０においては、図示されていないが、例えばインバーター方式などによる蛍光ランプ点灯装置が配設されている。
【００３１】
このような原稿照明ユニット３０においては、原稿照明装置２のそれぞれの光源装置１ａ、１ｂの蛍光ランプ１０、１０の各々のアパーチャ部１７、１７から放射された光が、各々の光投射用スリット２３、２３および照明帯Ｌ、Ｌを介して、光源装置１ａ、１ｂに係る共通の原稿照明域Ｒに投射される。
【００３２】
そして、原稿照明域Ｒに対応する原稿面における読み取り領域から反射された反射光が、光路Ｍにより、光像透過用窓３３を介して光像反射ミラー３４に到達して反射され、結像レンズ３５を介して光信号検知部３７に結像される。
【００３３】
そして、原稿照明ユニット３０全体が走査方向に沿って移動されることにより、蛍光ランプ１０よりの光が原稿面上において走査され、これにより、原稿面全面の露光処理が達成される。
【００３４】
このような光源装置１ａ、１ｂよりなる原稿照明装置２が搭載されてなる原稿照明ユニット３０によれば、それぞれの蛍光ランプ１０のアパーチャ部１７から放射される光のうち、原稿照明域Ｒに向かう光以外の光が、反射鏡２１、２２によってアパーチャ部１７に向かって放射されて放電容器１１内に入射し、蛍光体層１４によって反射されて再びアパーチャ部１７から放射されるので、原稿照明域Ｒに向かう光の量が増加したものとなり、高い光の利用効率が得られる。
【００３５】
また、光源装置１ａ、１ｂにおいては、反射鏡２１、２２が、そのそれぞれの外端縁２１Ａ、２２Ａが、少なくともアパーチャ部１７の両端縁１７Ａ、１７Ｂを通る延長面Ｚ上に位置するまで伸びていることにより、アパーチャ部１７から放射される光のうち、原稿照明域Ｒに向かう光以外の光を、これらの反射鏡２１、２２によって確実に捕捉することができる。
【００３６】
また、原稿照明装置２の光源装置１ａ、１ｂにおいては、それぞれの反射鏡２１、２１、２２、２２の裏面に光吸収膜が形成されていることによって、当該光吸収膜の作用によって、迷光の発生が防止されるので、原稿面における白黒の鮮明度（コントラスト）が低下せず、例えば複写機において形成される画像において十分な色の再現性が得られる。
【００３７】
本発明の第１の実施の形態における原稿照明装置においては、上記の実施の形態に限られず、種々の変更を加えることができる。
【００３８】
例えば、反射鏡２１、２２としては、反射面が、例えば、誘電体多層膜が形成されてなる反射面により形成されたものを用いることができる。
【００３９】
また例えば、原稿照明装置において、反射鏡２１、２２に係る円筒体の中心軸が、必ずしも蛍光ランプ１０の管軸Ｏに一致する構成には限定されず、例えば、管軸Ｏに対して変位した状態に設けられた構成とすることもできる。
さらに例えば、反射鏡２１、２２の反射面は、円筒体の一部に沿った形状に限定されず、二次曲面形状または平面形状などとすることができる。
【００４０】
＜第２の実施の形態＞
図３は、本発明の原稿照明装置に具えられる光源装置の構成の第２の例を原稿台と共に示す説明用断面図である。
【００４１】
〔原稿照明装置〕
この原稿照明装置に具えられる光源装置３は、基本的に、図６に示されたものと同様の構成を有する蛍光ランプ１０と、この蛍光ランプ１０からアパーチャ部１７を介して放射される光のうち、蛍光ランプ１０の管軸方向に伸びる帯状の原稿照明域Ｒ２に向かう光以外の光を当該アパーチャ部１７に向かって反射する反射鏡２１および規制反射鏡４２と、蛍光ランプ１０からアパーチャ部１７を介して放射される光の一部を原稿照明域Ｒ２に向かって反射させる、擬似光源を構成する集光反射鏡４４とが具えられている。
【００４２】
蛍光ランプ１０は、原稿台３１の下方に、当該蛍光ランプ１０の管軸Ｏから原稿台３１の下面までの離間距離Ｈを介して配置され、当該蛍光ランプ１０における光放射用のアパーチャ部１７が、適宜の開口角度θ１を有して原稿台３１に対向している。
【００４３】
反射鏡２１は、蛍光ランプ１０の外側においてこれを包囲するよう、間隙を介して覆う状態で当該蛍光ランプ１０と平行な方向に伸びる、断面が円筒体の一部に沿った形状を有する凹面鏡よりなり、この凹面鏡に係る円筒体の中心軸が、蛍光ランプ１０の管軸Ｏに一致した状態で配置されている。
【００４４】
反射鏡２１は、その外端縁２１Ａ（図３において左端縁）が、アパーチャ部１７の一方の端縁１７Ａ（図３において左端縁）および他方の端縁１７Ｂ（図３において右端縁）を通る延長面Ｚ上に位置するよう配置されている。
【００４５】
集光反射鏡４４は、蛍光ランプ１０の管軸方向に伸びるものであり、原稿台３１と垂直な平面Ｙに関して蛍光ランプ１０が配置される領域と反対の領域に配置されている。
この集光反射鏡４４は、目的に応じた適宜の曲率半径を有する凹面鏡によりなり、蛍光ランプ１０のアパーチャ部１７からの光を原稿台３１の方向に反射するよう、設けられている。
この集光反射鏡４４は、その一端縁４４Ａ（図３において上端縁）が蛍光ランプ１０の管軸Ｏと後述する規制反射鏡４２の他端縁４２Ｂ（図３において右端縁）とを通る延長面上に位置する状態とされている。
【００４６】
規制反射鏡４２は、蛍光ランプ１０の管軸方向に伸びるものであり、前記平面Ｙに関して、蛍光ランプ１０が配置される領域と同じ領域において、反射鏡２１と集光反射鏡４４との間に位置するよう配置されている。また、この規制反射鏡４２は、後述する光路Ｍ２に突入しない状態に配置されている。
【００４７】
そして、反射鏡２１に係る内端縁２１Ｂ（図３において右端縁）と、規制反射鏡４２の一端縁４２Ａ（図３において左端縁）とによって、直接光源用開口４３が形成されており、また、規制反射鏡４２の他端縁４２Ｂと、アパーチャ部１７における、集光反射鏡４４に近接する他方の端縁１７Ｂとによって、開口角度θ４を有する擬似光源用開口４５が形成されている。
【００４８】
直接光源用開口４３は、蛍光ランプ１０のアパーチャ部１７に係る開口角度θ１よりも小さい開口角度θ３を有する状態に形成されており、反射鏡２１に係る内端縁２１Ｂは、アパーチャ部１７の一方の端縁１７Ａに近接した当該アパーチャ部１７の一端側から放射される光を捕捉するよう配置されている。
【００４９】
擬似光源用開口４５の開口角度θ４の大きさは、直接光源用開口４３からの光の強度と、集光反射鏡４４からの光の強度とが同等となるよう、直接光源用開口４２の幅に対応して設定されている。
【００５０】
光源装置３においては、直接高原用開口４３および照明帯Ｌ２を介して、または擬似光源用開口４５および照明帯Ｌ２を介して、共通の原稿照明域Ｒ２に光が投射され、これにより、原稿面における読み取り領域からの反射光が光路Ｍ２を介して投影される。
【００５１】
反射鏡２１は、第１の実施の形態における反射鏡と同様の材料よりなるものとすることができる。
また、規制反射鏡４２は、目的に応じた適宜の曲率半径を有する凹面鏡により形成されたものであり、反射鏡２１と同様の材料よりなるものを用いることができる。
さらに、集光反射鏡４４としては、例えばアルミニウムなどを蒸着させた金属反射膜により形成されたものを用いることができる。
【００５２】
このような光源装置３における寸法の一例を示すと、蛍光ランプ１０と原稿台３１との離間距離Ｈが例えば１４ｍｍであり、当該蛍光ランプ１０における蛍光体層１４の可視光反射率が９４％であり、これによりアパーチャ部１７の開口角度θ１が６５°に設定されており、また、蛍光ランプ１０の外径が例えば１０ｍｍであり、反射鏡２１に係る円筒体の半径が、例えば７ｍｍである。
原稿照明域Ｒ２の幅は、例えば３ｍｍであり、照明帯Ｌ２の幅は、それぞれ例えば５ｍｍである。
また、直接光源用開口４３の開口角度θ３は例えば１８°とされ、擬似光源用開口４５の開口角度θ４は例えば１４°とされる。
【００５３】
〔原稿照明ユニット〕
図４は、以上の光源装置を具える原稿照明ユニットの構成の一例を原稿台と共に示す概略説明図であり、基本的に、図２と同様の構成を有する。
【００５４】
このような原稿照明ユニット５０においては、光源装置３の蛍光ランプ１０のアパーチャ部１７から放射された光が、直接光源用開口４３を介して直接、または擬似光源用開口４５を介して集光反射鏡４４により反射されて、共通の原稿照明域Ｒ２に投射される。
そして、原稿照明域Ｒ２に対応する原稿面における読み取り領域から反射された反射光が、光路Ｍ２により、光像透過用窓３３を介して光像反射ミラー３４に到達して反射され、結像レンズ３５を介して光信号検知部３７に結像される。
【００５５】
そして、原稿照明ユニット５０全体が走査方向に沿って移動されることにより、蛍光ランプ１０よりの光が原稿面上において走査され、これにより、原稿面全面の露光処理が達成される。
【００５６】
このような光源装置３を具える原稿照明装置が搭載されてなる原稿照明ユニット５０によれば、蛍光ランプ１０のアパーチャ部１７から放射される光のうち、原稿照明域Ｒ２に向かう光以外の光が、反射鏡２１および規制反射鏡４２によってアパーチャ部１７に向かって放射されて放電容器１１内に入射し、蛍光体層１４によって反射されて再びアパーチャ部１７から放射されて原稿照明域Ｒ２に向かう光の量が増加したものとなり、高い光の利用効率が得られる。
【００５７】
また、光源装置３においては、反射鏡２１の外端縁２１Ａがアパーチャ部１７の両端縁１７Ａ、１７Ｂを通る延長面Ｚ上に位置するまで伸びていることにより、アパーチャ部１７から放射される光のうち、原稿照明域Ｒ２に向かう光以外の光を、この反射鏡２１によって捕捉することができる。
【００５８】
また、光源装置３においては、反射鏡２１および規制反射鏡４２の裏面に光吸収膜が形成されていることによって、当該光吸収膜の作用によって、迷光の発生が防止されるので、原稿面における白黒の鮮明度（コントラスト）が低下せず、例えば複写機において形成される画像において十分な色の再現性が得られる。
【００５９】
本発明の第２の実施の形態における原稿照明装置においては、上記の実施の形態に限られず、種々の変更を加えることができる。
【００６０】
例えば、反射鏡２１および規制反射鏡４２としては、反射面が、例えば、誘電体多層膜が形成されてなる反射面により形成されたものを用いることがでる。
【００６１】
また例えば、光源装置３において、反射鏡２１に係る円筒体の中心軸は、必ずしも蛍光ランプ１０の管軸Ｏに一致する構成には限定されない。
【実施例】
【００６２】
以下、本発明の原稿照明装置の実施例について説明するが、本発明はこれらに限定されるものではない。
【００６３】
〈実施例１〉
下記の条件に従って、図２に示す構成の原稿照明ユニットを作製した。
蛍光ランプ（１０）としては、放電容器（１１）の外径が３ｍｍ、全長が２６０ｍｍ、アパーチャ部（１７）の開口角度（θ１）が６５°、蛍光体層（１４）の反射率が９５％、ランプ電流が２２ｍＡ、ランプ電力が６Ｗ（インバーター方式による入力電力）、封入ガスとしてキセノンガスが１００Ｔｏｒｒの圧力で封入された希ガス蛍光ランプを用いた。
反射鏡（２１，２２）としては、全長が２３０ｍｍ，当該反射鏡に係る円筒体の半径が７ｍｍ、蛍光ランプ（１０）の管軸Ｏと当該円筒体の中心軸が一致する、光輝アルミニウムよりなる金属反射面が形成、裏面に黒塗装が施された光吸収膜が形成されたものを用いた。
光投射用スリット（２３）の開口角度（θ２）は２８°とした。
蛍光ランプ（１０）と原稿台（３１）との離間距離（Ｈ）は１４ｍｍとした。
【００６４】
〈比較例１〉
反射鏡（２１，２２）を設置しなかったこと以外は、実施例１と同様の条件により、比較用の原稿照明ユニット〔１〕を作製した。
【００６５】
実施例１および比較例１に係る原稿照明ユニットを作動させ、原稿面において原稿照明域（Ｒ）に対応する測定領域の照度の分布を測定した。結果を図５に示す。
【００６６】
図５は、横軸は、測定領域の中心線の位置を０（ｍｍ）としたときの、その左右方向における距離（ｍｍ）を示し、縦軸は、比較例１に係る測定領域の位置０（ｍｍ）における照度の強度を１としたときの相対強度を示している。図５において（ａ）は実施例１に係る相対強度、（ｂ）は比較例１に係る相対強度をそれぞれ示す。
この図５の結果から明らかなように、実施例１に係る原稿照明ユニットは、比較例１に係る原稿照明ユニットに比して、原稿照明域（Ｒ）に対応する原稿面における測定領域の照度の分布について、その位置が０ｍｍである中央領域の付近において、比較例１に係る照度に比して約３０％も増加された大きな照度が得られ、蛍光ランプ（１０）から放射された光が、高い効率で原稿照明域（Ｒ）に照射されることが確認された。
【００６７】
〈実施例２〉
実施例１と同様の構成の反射鏡（２１）および蛍光ランプ（１０）を用いて、図４に示す構成の原稿照明ユニットを作製した。
集光反射鏡（４４）としては、全長が２３０ｍｍ、光輝アルミニウムよりなる金属反射面が形成されてなる凹面鏡を用いた。
規制反射鏡（４２）としては、全長が２３０ｍｍ，当該反射鏡に係る円筒体の半径が９ｍｍ、蛍光ランプ（１０）の管軸Ｏと当該円筒体の中心軸が一致する、光輝アルミニウムよりなる金属反射面が形成、裏面に黒塗装が施された光吸収膜が形成されたものを用いた。
直接光源用開口（４３）の開口角度（θ３）は１８°とし、擬似光源用開口（４５）の開口角度（θ４）は１４°とした。
【００６８】
〈比較例２〉
反射鏡（２１）、規制反射鏡（４２）および集光反射鏡（４４）を設置しなかったこと以外は、実施例２と同様の条件により、比較用の原稿照明ユニット〔２〕を作製した。
【００６９】
実施例２および比較例２に係る原稿照明ユニットを作動させ、原稿面における原稿照明域（Ｒ２）に対応する測定領域の照度の分布を測定したところ、この原稿照明装置においては、測定領域における中央領域の付近において、比較例１に係る照度に比して約１５％も増加された大きな照度が、左右方向において同等の強度で得られ、蛍光ランプ（１０）から放射された光が、高い効率で原稿照明域（Ｒ）に照射されることが確認された。
【図面の簡単な説明】
【００７０】
【図１】本発明の原稿照明装置に具えられる光源装置の構成の第１の例を原稿台と共に示す説明用断面図である。
【図２】図１の光源装置を用いた原稿照明装置が搭載されてなる原稿照明ユニットの構成の一例を原稿台と共に示す概略説明図である。
【図３】本発明の原稿照明装置に具えられる光源装置の構成の第２の例を原稿台と共に示す説明用断面図である。
【図４】図３の光源装置を用いた原稿照明装置が搭載された原稿照明ユニットの構成の一例を示す概略説明図である。
【図５】本発明の効果を示す図である。
【図６】直管状の蛍光ランプの構成の一例を示す説明図であり、（ａ）は斜視図、（ｂ）は断面図である。
【図７】従来の、原稿照明装置が搭載された原稿照明ユニットの構成の一例を示す概略説明図である。
【符号の説明】
【００７１】
１、１ａ、１ｂ、３    光源装置
２      原稿照明装置
１０    蛍光ランプ
１１    放電容器
１２、１３    電極
１４    蛍光体層
１５    被覆用チューブ
１７    アパーチャ部
１７Ａ  一方の端部
１７Ｂ  他方の端部
１８    リード線
１９    高周波電源
Ｓ      放電空間
２１、２２    反射鏡
２１Ａ、２２Ａ  外端縁
２１Ｂ、２２Ｂ  内端縁
２３    光投射用スリット
３０    原稿照明ユニット
３１    原稿台
３２    支持枠
３３    光像透過用窓部
３４    光像反射ミラー
３５    結像レンズ
３６    ケーシング
３７    光信号検知部
３８    光投射用窓部
４２    規制反射鏡
４２Ａ    一端縁
４２Ｂ    他端縁
４３    直接光源用開口
４４    集光反射鏡
４４Ａ  一端縁
４５    擬似光源用開口
５０    原稿照明ユニット
６０    原稿照明ユニット
Ｇ      原稿
Ｌ、Ｌ２      照明帯
Ｒ、Ｒ２      原稿照明域
Ｍ、Ｍ２      光路
【図１】
2006067173.tif 000003
【図２】
2006067173.tif 000004
【図３】
2006067173.tif 000005
【図４】
2006067173.tif 000006
【図５】
2006067173.tif 000007
【図６】
2006067173.tif 000008
【図７】
2006067173.tif 000009